(57)【要約】【課題】ランナ１内でスライド部材４を水平方向にスライドさせ得るように工夫する。それによって、ランナ１内でスライド部材４をスムーズにスライドさせることができるようにする。【解決手段】上レールＲに沿って走行させ得るランナ１と、前記ランナ１に対して上下動させ得るようにランナ１に保持される吊軸２とを備えている。前記吊軸２の下端に引戸Ａを取り付ける。前記ランナ１内に水平方向にスライドさせ得るスライド部材４と、このスライド部材４を前記ランナ１に対して水平方向にスライドさせるためのものであって、このスライドにより前記ランナ１に保持されている前記吊軸２を上下方向に移動させ得る上下調整ねじ６とが備えられている。前記上下調整ねじ６を螺合させ得るナット７を前記スライド部材４に対して上下方向に移動させ得るごとく配置する。【選択図】図２（ａ）
2009275344.tif 000002
【特許請求の範囲】
【請求項１】
上レールに沿って走行させ得るランナと、前記ランナに対して上下動させ得るようにランナに保持される吊軸とを備え、前記吊軸の下端に引戸を取り付けた吊下式引戸のランナ装置であって、前記ランナ内に水平方向にスライドさせ得るスライド部材と、このスライド部材を前記ランナに対して水平方向にスライドさせるためのものであって、このスライドにより前記ランナに保持されている前記吊軸を上下方向に移動させ得る上下調整ねじとを設け、さらに、前記上下調整ねじを螺合させ得るナットを前記スライド部材に対して移動させ得るごとく配置したことを特徴とする吊下式引戸のランナ装置。
【請求項２】
ナットの左右両端がスライド部材の左右両側のスライド用長孔内に嵌入せしめられていることを特徴とする請求項１記載の吊下式引戸のランナ装置。
【請求項３】
上下調整ねじをランナの斜め上方に向けて操作できるように傾斜させて配置してあることを特徴とする請求項１記載の吊下式引戸のランナ装置。
【発明の詳細な説明】
【技術分野】
【０００１】
本発明は、上レールに沿って走行させ得るランナと、前記ランナに対して上下動させ得るようにランナに保持される吊軸とを備え、前記吊軸の下端に引戸を取り付けた吊下式引戸のランナ装置に関するものである。
【背景技術】
【０００２】
通常、吊下式引戸のランナ装置には、吊下式引戸の吊下高さを調整するための上下調整機構が備えられている。この上下調整機構としては、天井、鴨居その他の部材に取り付けられる上レールに沿って走行させ得るランナに備えられている場合がある（例えば、特許文献１参照）。
【０００３】
【特許文献１】特許第３８９６４９８号公報
【０００４】
この場合の上下調整機構には、走行車輪の間でランナ内にスライド可能に保持されたスライド部材と、このスライド部材に穿孔されていて吊軸の上下移動を案内するスライド用長孔と、吊軸に固定されていて前記スライド用長孔に挿通されたピンと、前記スライド部材をスライドさせる上下調整ねじとが備えられている。
【発明の開示】
【発明が解決しようとする課題】
【０００５】
しかしながら、この上下調整機構によれば、ランナ内でスライド部材を斜め方向にしか移動させることができず、しかも、前記上下調整ねじを螺合させ得る部材はスライド部材と一体的で、全く動かない。
【０００６】
この場合には、吊下式引戸の重い荷重が斜め方向にスライドするスライド部材に掛かることになるので、吊下式引戸の吊下高さを調整するに際して、ランナ内でスライド部材をスムーズにスライドさせることができない。
【０００７】
本発明は、この欠点を解消することを目的とするものであって、ランナ内でスライド部材を水平方向にスライドさせ得るように工夫することにより、ランナ内でスライド部材をスムーズにスライドさせることができるようにしたものである。
【課題を解決するための手段】
【０００８】
すなわち、本発明では、上レールに沿って走行させ得るランナと、前記ランナに対して上下動させ得るようにランナに保持される吊軸とを備え、前記吊軸の下端に引戸を取り付けた吊下式引戸の吊車装置であって、前記ランナ内に水平方向にスライドさせ得るスライド部材と、このスライド部材を前記ランナに対して水平方向にスライドさせるためのものであって、このスライドにより前記ランナに保持されている前記吊軸を上下方向に移動させ得る上下調整ねじとを設け、さらに、前記上下調整ねじを螺合させ得るナットを前記スライド部材に対して上下方向に移動させ得るごとく配置してある。
【０００９】
この場合には、吊下式引戸の重い荷重が水平方向にスライドするスライド部材に掛かることになるので、ランナ内でスライド部材をスムーズにスライドさせることができる。
【００１０】
ナットの左右両端がスライド部材の左右両側のスライド用長孔内に嵌入せしめられていることが望ましい。このようにすることによって、ランナ内でスライド部材をよりスムーズにスライドさせることができる。
【００１１】
上下調整ねじをランナの斜め上方に向けて操作できるように傾斜させて配置してあることが望ましい。この場合には、ドライバーその他の工具が引戸を完全に避けて上下調整機構の操作を容易に行うことができる。
【発明の効果】
【００１２】
請求項１記載の発明によれば、吊下式引戸の重い荷重が水平方向にスライドするスライド部材に掛かることになるので、ランナ内でスライド部材をスムーズにスライドさせることができる。
【００１３】
請求項２記載の発明によれば、ランナ内でスライド部材をよりスムーズにスライドさせることができる。
【００１４】
請求項３記載の発明によれば、ドライバーその他の工具が引戸を完全に避けて上下調整機構の操作を容易に行うことができる点で、極めて有利である。
【発明を実施するための最良の形態】
【００１５】
本発明を実施するための最良の形態について、図面を参照しながら詳細に説明する。ここでは、図３及び図５に示すように、略倒Ｕ字状の両端部を内側に折曲し、その部分を左右２つの走行面ｒ，ｒとする上レールＲに沿ってランナ１を走行させることができ、このランナ１に保持される吊軸２の下端に引戸Ａを取り付け、この引戸Ａが上レールＲから吊下げられた状態でその下を移動させ得る形式のものを示してある。
【００１６】
なお、以下の説明において、「前後」とは、図１、図２(a)〜(c)及び図４(a)〜(c)の左右を、すなわち、ランナ１が上レールＲに沿って走行する方向を指す。また、「左右」とは、図３及び図５の左右を指し、「上下」とは、図２(a)〜(c)、図３、図４(a)〜(c)及び図５の上下を指すものとする。
【００１７】
ここでは、図１に示すように、ランナ１が２つの部材１ａ，１ｂを付き合わせることによって組み立てられ、その内部に空室１ｃが形成されているものを示してある。このランナ１には、ランナ１に対して上下動させ得る吊軸２が組み込んであり、この吊軸２の下端に引戸Ａを取り付けることができる。また、ランナ１の前後には、左右２つの車輪３，３をそれぞれ備えている。左右２つの車輪３，３はランナ１の前記２つの部材１ａ，１ｂを左右に貫通する車軸３ａの両端に回転自在に取り付けられている。
【００１８】
前記空室１ｃには、水平方向で前後にスライドさせ得るスライド部材４が嵌め込まれている。このスライド部材４は、図１に示すように、平面的に見ると略コ字状であり、その左右の壁４ａ，４ａには前上がり傾斜のスライド用長孔４ｂ，４ｂが左右に２つ形成されている。
そして、スライド部材４の前記左右の壁４ａ，４ａ間に前記吊軸２が差し込まれ、この吊軸２を左右に貫通する１本の吊ピン５の左右が前記２つのスライド用長孔４ｂ，４ｂに嵌め込まれ、さらに、吊ピン５の左右両端は、前記ランナ１の２つの部材１ａ，１ｂの内面に形成されている上下方向の案内用の窪み１ｄ，１ｄに差し込まれている。
【００１９】
また、スライド部材４の前記左右の壁４ａ，４ａを繋ぐ連結壁４ｃの一部は切欠され、この切欠部４ｃ’からランナ１の空室１ｃ内に斜め上方に向けて傾斜する上下調整ねじ６が差し込まれている。そして、この上下調整ねじ６を螺合させ得るナット７が前記スライド部材４に対して移動させ得るごとく配置されている。その一例として、ここでは、スライド部材４の前記左右の壁４ａ，４ａに左右２つのスライド用長孔４ｄ，４ｄを形成し、前記ナット７の左右両端を両スライド用長孔４ｄ，４ｄにそれぞれ嵌入した場合を例示する。上下調整ねじ６をねじ込み、あるいは緩めた時、ナット７は両スライド用長孔４ｄ，４ｄに沿って移動する。
【００２０】
図２(a)及び図４(a)は上下調整ねじ６を最もねじ込んだ状態を示す。この場合には、吊軸２を左右に貫通する１本の吊ピン５は、スライド部材４の左右の前上がり傾斜のスライド用長孔４ｂ，４ｂ及びランナ１の左右の上下方向の窪み１ｄ，１ｄの下端に位置し、スライド部材４はランナ１の空室１ｃ内で最も前進した状態にある。この時、吊軸２は最も下がった状態にあるので、この下端に取り付けられている引戸Ａも最も下がっており、その上面と上レールの下面との隙間Ｓは最も大きい。
【００２１】
図２(a)及び図４(a)の状態から上下調整ねじ６を緩めると、ランナ１の空室１ｃ内でスライド部材４が水平方向に後退し、吊軸２を左右に貫通する１本の吊ピン５は、スライド部材４の左右の前上がり傾斜のスライド用長孔４ｂ，４ｂ及びランナ１の左右の上下方向の窪み１ｄ，１ｄの中間位置に来て図２(b)及び図４(b)の状態になる。この時、吊軸２は先程よりも上がった状態にあるので、この下端に取り付けられている引戸Ａも先程よりも上がってその上面と上レールＲの下面との隙間はＳからＳ’になる。
【００２２】
図２(b)及び図４(b)の状態から上下調整ねじ６をさらに緩めると、ランナ１の空室１ｃ内でスライド部材４が水平方向にさらに後退し、吊軸２を左右に貫通する１本の吊ピン５は、スライド部材４の左右の前上がり傾斜のスライド用長孔４ｂ，４ｂ及びランナ１の左右の上下方向の窪み１ｄ，１ｄの上端に位置し、図２(c)及び図４(c)の状態になる。この時、吊軸２は先程よりもさらに上がって最も上昇した状態にあるので、この下端に取り付けられている引戸Ａも先程よりも上がってその上面と上レールの下面との隙間は先程のＳ’からＳ”になる。
【００２３】
このように、ランナ１の空室１ｃ内に斜め上方に向けて傾斜して差し込まれている上下調整ねじ６をねじ込み、あるいは緩めることにより、上レールＲに吊下げられている引戸Ａの上面と上レールＲの下面との隙間を調整することができる。この場合において、上下調整ねじ６をねじ込み、あるいは緩めた時、この上下調整ねじ６を螺合させ得るナット７は両スライド用長孔４ｄ，４ｄに沿って移動するから、スライド部材４に対して自由に移動できるので、ランナ１の空室１ｃ内に嵌め込まれているスライド部材４を水平方向にスムーズにスライドさせることができる。すなわち、吊下式引戸の重い荷重が水平方向にスライドする前記スライド部材４に掛かることになるので、ランナ１の空室１ｃ内でスライド部材４をスムーズにスライドさせることができ、上レールＲに吊下げられている引戸Ａの上面と上レールＲの下面との隙間の調整に極めて有利である。
【００２４】
図２、図３は、引戸Ａの木口側、すなわち、引戸Ａの前端側に、吊軸２を保持するための軸受装置８を組み込んだ場合を示す。この場合において、図面符号８ａは前後調整用のロックナット、８ｂは前記ロックナット８ａに螺合させ得る前後調整用の固定ねじで、この固定ねじ８ｂをねじ込んだり、緩めることにより、吊軸２に対する引戸Ａの前後方向の位置を調整できる。また、前記固定ねじ８ｂは図３において図面符号８ｃで示す横長状の孔に対して左右方向に移動させることができるので、上レールＲに対する引戸Ａの左右方向の位置を調整できる。
【００２５】
一方、図４、図５は、引戸Ａの片面（図５の右端面）側に、吊軸２を保持するための軸受装置９を組み込んだ場合を示す。この場合においては、引戸Ａ内に組み込んだ軸受装置９を軸受カバー９ａで引戸Ａ内に保持することができる。なお、図４(a)〜(c)において、図面符号９ｂは軸受カバー９ａを引戸Ａに固定するためのカバーねじである。
【００２６】
また、図５における図面符号１０は、ワンタッチで着脱させ得る形式の把手で、この把手１０に形成されている係合爪１０ａを引戸Ａの窪み１０ｂ内の係合溝１０ｃに係脱させることにより、引戸Ａに把手１０をワンタッチで着脱させることができる。
【００２７】
なお、図２(a)〜(c)及び図４(a)〜(c)における図面符号１１は、上レールＲの前端に取り付けたストッパで、このストッパ１１によりランナ１が上レールＲの前端から転げ落ちるのを防止できる。図２(a)〜(c)及び図４(a)〜(c)においては、このストッパ１１を便宜上実線で表わしてある。
【図面の簡単な説明】
【００２８】
【図１】本発明による吊下式引戸のランナ装置の一例を示す平面図で、ランナの上部壁を一部切欠して示す。
【図２（ａ）】本発明による吊下式引戸のランナ装置を引戸の木口側に組み込んだ場合の断面図で、引戸の上面と上レールの下面との隙間が最も大きくなるように調整した場合を示す。
【図２（ｂ）】本発明による吊下式引戸のランナ装置を引戸の木口側に組み込んだ場合の断面図で、引戸の上面と上レールの下面との隙間が図２（ａ）の場合よりも小さくなるように調整した場合を示す。
【図２（ｃ）】本発明による吊下式引戸のランナ装置を引戸の木口側に組み込んだ場合の断面図で、引戸の上面と上レールの下面との隙間が最も小さくなるように調整した場合を示す。
【図３】図２の左側からランナ装置を見た場合の一部切欠の側面図である。
【図４（ａ）】本発明による吊下式引戸のランナ装置を引戸の片面側に組み込んだ場合の断面図で、引戸の上面と上レールの下面との隙間が最も大きくなるように調整した場合を示す。
【図４（ｂ）】本発明による吊下式引戸のランナ装置を引戸の片面側に組み込んだ場合の断面図で、引戸の上面と上レールの下面との隙間が図４（ａ）の場合よりも小さくなるように調整した場合を示す。
【図４（ｃ）】本発明による吊下式引戸のランナ装置を引戸の片面側に組み込んだ場合の断面図で、引戸の上面と上レールの下面との隙間が最も小さくなるように調整した場合を示す。
【図５】図４の左側からランナ装置を見た場合の一部切欠の側面図である。
【符号の説明】
【００２９】
１…ランナ、１ｃ…空室、１ｄ…窪み、２…吊軸、３…車輪、４…スライド部材、４ｂ…スライド用長孔、４ｄ…スライド用長孔、５…吊ピン、６…上下調整ねじ、７…ナット、８，９…軸受装置、Ａ…引戸、Ｒ…上レール。
【図１】
2009275344.tif 000003
【図２（ａ）】
2009275344.tif 000004
【図２（ｂ）】
2009275344.tif 000005
【図２（ｃ）】
2009275344.tif 000006
【図３】
2009275344.tif 000007
【図４（ａ）】
2009275344.tif 000008
【図４（ｂ）】
2009275344.tif 000009
【図４（ｃ）】
2009275344.tif 000010
【図５】
2009275344.tif 000011